(57)【特許請求の範囲】
【請求項１】
容器本体側に形成した係合部に、蓋体側に形成した係合突起を係合させることにより、当該蓋体を前記容器本体に外嵌合または内外嵌合するように、合成樹脂シートによって形成した包装用容器であって、
前記蓋体の外周縁下端の一部を、この下端と略同一高さで横方向に、かつ前記外周縁下端の他部よりも外側となるように突出させてこれを突出部とするとともに、この突出部の一部を、前記蓋体の外周縁下端より下方に膨出させることにより指係止部を一体的に形成して、
この指係止部に指を掛けてこれを上動させることにより、前記嵌合状態を解除するキッカケ作りが行えるようにしたことを特徴とする包装用容器。
【請求項２】
前記係合突起の一部で、前記指係止部のすぐ内側に、前記容器本体側の係合部に係合する近接係合突起を形成したことを特徴とする請求項１に記載の包装用容器。
【発明の詳細な説明】
【０００１】
【産業上の利用分野】
本発明は包装用容器に関し、特に合成樹脂シートによって形成した容器本体に、同じく合成樹脂シートによって形成した蓋体を外嵌合または内外嵌合によって一体化し得るようにした包装用容器に関するものである。
【０００２】
【従来の技術】
容器本体に蓋体を嵌合するための、合成樹脂シートによって形成した包装用容器としては、近年においては種々なものが提案されてきているが、このような包装用容器において常に問題となるのが、「蓋体外し」である。
【０００３】
つまり、合成樹脂シートという薄い材料で形成した蓋体を、中味を飛び出させないで容器本体から外せるようにすることは、容器本体自体も薄い合成樹脂シートによって形成したものの場合、非常に困難である。特に、容器本体への蓋体の嵌合時における密閉性を十分確保するための嵌合性能をも高めながら、蓋体の取外しを簡単に行えるようにすることは、相反する性能を同時に兼ね備えなければならないことになって、非常にむずかしいのである。
【０００４】
このため、特開平８−１８３５５１号公報において、「簡便な操作で蓋体を容器本体から取り外すことができ、取扱の便宜に優れた合成樹脂製の食品容器を提供する」ことを目的として、図６及び図７に示すように、
「周壁１ｂの外側に周縁を折り返してなる嵌合部１ｃを有する容器本体１と、嵌合部１ｃに被嵌可能な縁部２ａの内側に、立ち上がり壁面２ｂを有した蓋体２とからなり、立ち上がり壁面２ｂの隅部に凹部２ｄを形成し、この凹部２ｄの縁部分を幅広面２ｅと成す」
という構成の「食品容器」が提案されている。
【０００５】
しかしながら、この食品容器では、特に図７に示すように、「凹部２ｄに親指を挿入しつつ幅広面２ｅを指先で押さえ、人差し指を縁部２ａの先端下端部に当てて蓋体２の縁を掴み、親指の先端部を支点、人差し指を作用点として、人差し指側の縁部の先端下端部を下方に回動し、縁部２ａを嵌合部１ｃからめくり上げて蓋体２の容器本体１への嵌合を解除せしめ」なければならないものであり（上記公報の段落００１３）、結局「蓋体２の縁を掴」まなければならないものとなっている。
【０００６】
この図６及び図７に示した従来の食品容器のように、「蓋体２の縁を掴」んで引き上げるためには、当然容器本体側を反対の手で掴んで保持していなければならないものであり、薄い合成樹脂シートによって形成した容器本体に力を掛けていることになる。ここで、蓋体がいきなり外れたとすると、容器本体にいれていた力によってこの容器本体が潰され、中味の特に液体がこぼれ出るということになる。
【０００７】
そこで、本発明者は、中味がこぼれないように蓋体外しを行えるようにするにはどうしたらよいか、について種々検討を重ねてきた結果、蓋体外しを行うためには、容器本体からいきなり外れるようにするよりも、ほんの部分的な外しが行え、つまり外しのためのキッカケが出き上がり、これを元に少しずつ外せるようにすることが良い結果を生むことに気付き、本発明を完成したのである。
【０００８】
【発明が解決しようとする課題】
本発明は、この種の容器本体と蓋体とからなる包装用容器における以上の実状に鑑みてなされたもので、その解決しようとする課題は、中味をこぼさないで蓋体外しを行えるようにすることである。
【０００９】
すなわち、まず請求項１に係る発明の目的とするところは、蓋体の容器本体に対する嵌合時の密閉性を十分確保することができることは勿論、指先操作によって、中味の漏れ出しを防止しながら蓋体外しのキッカケを作ることができる他、製造をより簡単に行うことができ、最終的には蓋体外しを簡単に行えるようにすることのできる包装用容器を提供することにある。
【００１０】
また、請求項２に係る発明の目的とすることころは、上記請求項１の発明と同様な目的を達成することができる他、蓋体外しのキッカケ作りをより一層簡単かつ確実に行うことのできる包装用容器を提供することにある。
【００１２】
【課題を解決するための手段】
以上の課題を解決するために、まず請求項１に係る発明の採った手段は、後述する実施の形態の説明中において使用する符号を付して説明すると、
「容器本体１０側に形成した係合部１１に、蓋体２０側に形成した係合突起２１を係合させることにより、当該蓋体２０を容器本体１０に外嵌合または内外嵌合するように、合成樹脂シートによって形成した包装用容器であって、
蓋体２０の外周縁２２下端の一部を、この下端と略同一高さで横方向に、かつ外周縁２２下端の他部よりも外側となるように突出させてこれを突出部２３とするとともに、この突出部２３の一部を、蓋体２０の外周縁２２下端より下方に膨出させることにより指係止部２４を一体的に形成して、
この指係止部２４に指を掛けてこれを上動させることにより、嵌合状態を解除するキッカケ作りが行えるようにしたことを特徴とする包装用容器」
である。
【００１３】
すなわち、この請求項１に係る包装用容器は、図１に示した係合部１１を有する容器本体１０と、係合部１１に係合される係合突起２１を有する図２に示した蓋体２０とからなるものであり、この蓋体２０を容器本体１０に外嵌合または内外嵌合することにより一体化されて使用されるものである。また、この包装用容器は、その蓋体２０の一部に指係止部２４を一体的に形成したものであり、この指係止部２４に指を掛けて引き起こすことにより、蓋体２０の容器本体１０に対する嵌合の一部を解除して、蓋体２０取外しのための「キッカケ作り」を行えるようにしたものである。
【００１４】
特に、この蓋体２０の指係止部２４は、図２及び図４に示すように、下すぼまりの上方に開口したものとなっているため、多数の蓋体２０を積み重ねるにあたって、各指係止部２４が下方の指係止部２４内にスッポリと入り込むため、積み重ねが確実にできるとともに、積み重ね後のズレ防止の役にも立っているのである。
【００１５】
この蓋体２０の指係止部２４は、合成樹脂シートから当該蓋体２０を型成形する際に同時に成形されるものであり、一般的な真空または圧空成形法により簡単に形成し得るものとなっている。すなわち、この指係止部２４は、図２の（ａ）に示すように、通常外周縁２２から切り落とされてしまう合成樹脂シートの一部を残して突出部２３を形成しておき、この突出部２３の一部を、例えば上型に形成した突起により押し出すか、あるいは下型に形成した凹所内に真空によって引き込むことにより形成できるものである。
【００１６】
また、この指係止部２４が形成されるべき突出部２３は、外周縁２２と略同一位置に形成するのが、成形直後の刃物による切り落しをし易くすることになる。
【００１７】
さて、以上のような指係止部２４を有する蓋体２０を容器本体１０に対して外嵌合または内外嵌合した場合には、この指係止部２４は、図２の（ｃ）及び図４に示すように、容器本体１０側の上部側面との間に、人の指が挿入できる程度の隙間を形成した状態で、蓋体２０側の突出部２３から垂れ下がったものとなる。そこで、蓋体２０の取外しを行うときには、この指係止部２４の内側に図４に示すように指を入れ、この指係止部２４を、図５に示すように引き上げるのである。
【００１８】
このとき、指係止部２４が形成してある突出部２３は、蓋体２０の外周縁２２と連続しているものであり、かつ外周縁２２の一部分と一体的になっているので、指係止部２４の図５に示した引き上げによって、蓋体２０の嵌合の一部を外すことになって、蓋体２０開放のためのキッカケが作られることになる。しかも、指係止部２４の引き上げは指一本によって行え、このため容器本体１０側を大きな力、特に蓋体２０が開放されたときに中味が飛び出てしまう程の大きな力を加える必要がなく、この結果、キッカケが作られたときに、容器本体１０内の液体等の中味が飛び出ることはないのである。
【００１９】
以上のように蓋体２０開放のキッカケが作られる、つまり蓋体２０側の係合突起２１の、容器本体１０側の係合部１１に対する嵌合状態が部分的に解除されれば、これを通して容器本体１０内への空気の出入は自由になる。そこで、後は、残っている嵌合状態の解除、つまり蓋体２０の取外しを行うのであるが、もうキッカケが出来上がっているため、そこを文字通り「キッカケ」として開封作業を行えばよいのである。この作業は、「キッカケ」からの空気の出入が自在となっているため、非常に軽い力で行えるのであり、包装用容器全体を不用意に揺らして中味をこぼすようなことにはならないのである。
【００２０】
また、容器本体１０から外された蓋体２０は、これをテーブルの上等に置かれることがあるが、そのとき蓋体２０の下面から指係止部２４が下方に突出しているから、この指係止部２４が支えとなって、蓋体２０の全体はテーブル上に斜めに支持されることになる。つまり、蓋体２０の裏面から下方に突出する指係止部２４が存在することによって、この蓋体２０はテーブル上にベッタリと置かれることがなく、例えば蓋体２０の裏面に付着していた収納物である溶けたアイスクリームが、テーブル上に付着するといったことにはならないのである。
【００２１】
従って、この請求項１に係る包装用容器は、蓋体２０の容器本体１０に対する嵌合時の密閉性を十分確保することができることは勿論、指先操作によって、中味の漏れ出しを防止しながら蓋体外しのキッカケを作ることができ、最終的には蓋体外しが簡単に行えるのである。
【００２２】
上記課題を解決するために、請求項２に係る発明の採った手段は、上記請求項１の包装用容器について、
「係合突起２１の一部で、指係止部２４のすぐ内側に、容器本体１０側の係合部１１に係合する近接係合突起２１ａを形成したこと」
である。
【００２３】
すなわち、この請求項２の包装用容器は、蓋体２０側の、指係止部２４の直ぐ内側となるか、あるいは近接する部分に、係合突起２１の一部、つまり近接係合突起２１ａを形成したものであり、この近接係合突起２１ａによって蓋体２０の容器本体１０に対する嵌合状態を維持できるようにするとともに、指係止部２４を一本の指によって引き上げたとき、この近接係合突起２１ａでの嵌合状態の解除をより一層容易に行えるようにしたものである。
【００２４】
従って、この請求項２の包装用容器は、その近接係合突起２１ａを指係止部２４の直近に形成したので、指係止部２４の開封操作をより一層簡単に行えるのであり、蓋体２０の取外しを、容器本体１０内の中部をこぼすことなく行えるのである。
【００２６】
また、以上の本発明に係る包装用容器は、指係止部２４を形成した突出部２３の位置を、蓋体２０の外周縁２２と略同一となるようにしたものであり、これにより、型成形後において、突出部２３を刃物によって切り出すにあたって、外周縁２２の形成と同時に行えることになり、包装用容器を構成する特に蓋体２０の製造を非常に簡単に行えるのである。
【００２７】
従って、本発明に係る包装用容器は、蓋体２０の外周縁２２の一部に、突出部２３とこれに形成した指係止部２４が部分的に形成されたものとなっていても、これら突出部２３の切り出しや指係止部２４の成形を、現在使用している切断装置の構造を大きく変えることなく簡単に行えるのであり、切断装置を大きく変えないことによって、製品成形の安定性を確保できるものとなっているのである。
【００２８】
【発明の実施の形態】
次に、上記のように構成した各発明を、図面に示した実施の形態である包装用容器について説明するが、この実施形態の包装用容器は、上記各発明を実質的に含むものであるため、以下では、この実施形態の包装用容器を中心に説明していくこととする。
【００２９】
図１には、この包装用容器を構成する容器本体１０の平面図（ａ）と、右半分を断面とした正面図（ｂ）が示してあり、この容器本体１０は、ポリエチレンテレフタレート等からなる合成樹脂シートを圧空または真空成形することにより形成したものである。また、この容器本体１０は、図１の（ｂ）及び図４にも示したように、その上方開口の外周縁に形成されて、後述する蓋体２０側の係合突起２１が係合することになる係合部１１を有しているものである。
【００３０】
なお、この容器本体１０は、中味を詰める前には、これを多数積み重ねられるものであり、その際に互いにくっつき合わないようにするために形成したブロッキング防止突起１２を有しているものである。
【００３１】
包装用容器を構成する蓋体２０は図２に示してある。すなわち、この蓋体２０は、容器本体１０と同様に、ポリエチレンテレフタレート等からなる合成樹脂シートを圧空または真空成形することにより形成したものであり、その概略外形を形成する外周縁２２は、成形後に切断機により形成したものである。
【００３２】
この外周縁２２の内側には、図２の（ｂ）、図３及び図４に示したように、上記容器本体１０側の係合部１１が係合されることになる係合突起２１が形成してあり、この係合突起２１によって、当該蓋体２０は容器本体１０に対して外嵌合または内外嵌合されることになるものである。
【００３３】
この蓋体２０の係合突起２１は、所謂アンダーカット部として形成したものであるが、蓋体２０の開口の全周を囲むものとして形成してもよいが、本実施形態のものでは、一定の長さを有するものを複数箇所（例えば４箇所）に形成したものである。また、本実施形態では、係合突起２１というアンダーカット部の深さを、０．６ｍｍ〜０．７ｍｍのものとすることができているものであり、従来のような０．３ｍｍ〜０．５ｍｍより深くすることができて、容器本体１０側の係合部１１に対する係合力を十分なものとすることができたものである。このようにできたのは、次に述べる突出部２３、及び形成した指係止部２４の存在による。
【００３４】
指係止部２４は、図２の（ａ）に示したように、外周縁２２の一部に形成した突出部２３に形成したものであり、合成樹脂シートの突出部２３に該当する部分を、蓋体２０の成形時に膨出成形することにより形成したものである。つまり、この指係止部２４は、蓋体２０全体を圧空または真空成形する際に、その成形型によって同時成形したものであり、突出部２３は、成形後に切断装置によって外周縁２２を整える際に切り出されるものである。
【００３５】
本実施形態の指係止部２４は、図２の（ａ）、図３及び図４にも示したように、その上方開口が長円（両端が円弧で間が長い円）のものとしてあるが、この上方開口の形状は、長方形であっても、ダ円であってもよいものである。また、この指係止部２４は、図２の（ｃ）にも示したように、略逆台形のものであるが、半円形状や長方形状のものであってもよいものであり、要するに膨出成形できて、図４にも示したように背面側に指が十分掛けられるのであれば、どのような形状のものであってもよいものである。
【００３６】
また、この蓋体２０の、指係止部２４の直近に位置する部分には、図４及び図５に示したように、近接係合突起２１ａが形成してあり、この近接係合突起２１ａは、蓋体２０の容器本体１０に対する嵌合時に、容器本体１０側の係合部１１に係合するものである。勿論、この近接係合突起２１ａは、他の係合突起２１と同一高さとなるように形成したものであり、指係止部２４を引き上げたときには、図５に示したように、容器本体１０側の係合部１１との係合が解かれるものである。
【００３７】
なお、この蓋体２０についても、図２の（ａ）に示したように、これらの蓋体２０を多数積み重ねた場合の「ブロッキング」を防止するためのブロッキング防止突起２５が形成してある。
【００３８】
勿論、図１に示した容器本体１０、及びこれに嵌合される図２に示した蓋体２０は、円形形状のものを例にしているが、本発明はこれに限らず適用することができるものである。
である。
【００３９】
【発明の効果】
以上、詳述した通り、まず請求項１に係る発明においては、上記実施形態にて例示した如く、
「容器本体１０側に形成した係合部１１に、蓋体２０側に形成した係合突起２１を係合させることにより、当該蓋体２０を容器本体１０に外嵌合または内外嵌合するように、合成樹脂シートによって形成した包装用容器であって、
蓋体２０の外周縁２２下端の一部を、この下端と略同一高さで横方向に、かつ外周縁２２下端の他部よりも外側となるように突出させてこれを突出部２３とするとともに、この突出部２３の一部を、蓋体２０の外周縁２２下端より下方に膨出させることにより指係止部２４を一体的に形成して、
この指係止部２４に指を掛けてこれを上動させることにより、嵌合状態を解除するキッカケ作りが行えるようにしたこと」
にその構成上の特徴があり、これにより、蓋体の容器本体に対する嵌合時の密閉性を十分確保することができることは勿論、製造をより簡単に行うことができて、指先操作によって、中味の漏れ出しを防止しながら蓋体外しのキッカケを作ることができ、最終的には蓋体外しを簡単に行えるようにすることのできる包装用容器を提供することができる。
【００４０】
特に、この請求項１の包装用容器は、その蓋体２０の裏面から下方に突出する指係止部２４が存在するものであるから、容器本体１０から外された蓋体２０が例えばテーブル上にベッタリと置かれることはなく、蓋体２０の裏面に付着していた収納物である溶けたアイスクリーム等によってテーブル上が汚されることはない。
【００４１】
また、請求項２の発明においては、上記請求項１の包装用容器について、
「係合突起２１の一部で、指係止部２４のすぐ内側に、容器本体１０側の係合部１１に係合する近接係合突起２１ａを形成したこと」
にその構成上の特徴があり、これにより、記請求項１の発明と同様な目的を達成することができる他、蓋体外しのキッカケ作りをより一層簡単かつ確実に行うことのできる包装用容器を提供することができる。
【図面の簡単な説明】
【図１】本発明に係る包装用容器を構成する容器本体を示すもので、（ａ）は平面図、（ｂ）は右半分を断面とした正面図である。
【図２】同包装用容器を構成する蓋体を示すもので、（ａ）は平面図、（ｂ）は（ａ）中の１−１線に沿ってみた断面図、（ｃ）は蓋体に形成してある指係止部の拡大正面図である。
【図３】同蓋体を容器本体に嵌合しようとしている状態を示す部分拡大断面図である。
【図４】嵌合した容器本体と蓋体とを示す部分拡大断面図である。
【図５】指係止部に指を掛けて引き上げたときの状態を示す部分拡大断面図である。
【図６】従来の包装用容器の部分平面図である。
【図７】図６に示した包装用容器の蓋体を開こうとしている様子を示した部分断面図である。
【符号の説明】
１０    容器本体
１１    係合部
１２    ブロッキング防止突起
２０    蓋体
２１    係合突起
２１ａ  近接係合突起
２２    外周縁
２３    突出部
２４    指係止部
２５    ブロッキング防止突起
【図１】
0004918187.tif 000002
【図２】
0004918187.tif 000003
【図３】
0004918187.tif 000004
【図４】
0004918187.tif 000005
【図５】
0004918187.tif 000006
【図６】
0004918187.tif 000007
【図７】
0004918187.tif 000008